(57)【要約】状況適応型動作のための装置（１００）は、外部の光源（１１１）から発する入射光（１２０）をレジスタする光センサ（１０１）を有し、前記レジスタされた入射光（１２０）から、表示スクリーンに関して特有である特定の周波数成分を抽出する前記センサに結合されたフィルタリング手段（１０２）、前記フィルタリング手段（１０２）による特定の周波数成分が成功して抽出された際に、外部の表示スクリーンの存在を決する決定手段（１０３）、及び前記装置（１００）の動作を、前記決定手段（１０３）の出力に依存して調整する処理手段（１０４）を有する。
2005523667.tif 000002
【特許請求の範囲】
【請求項１】
状況適応型動作のための装置であって、外部の光源から発する入射光をレジスタする光センサと、前記レジスタされた入射光から、表示スクリーンに関して特有である特定の周波数成分を抽出する前記センサに結合されたフィルタリング手段と、前記フィルタリング手段による前記特定の周波数成分が成功して抽出された際に、外部の表示スクリーンの存在を決定する決定手段と、前記装置の動作を前記決定手段の出力に依存して調整する処理手段とを有する装置。
【請求項２】
前記装置に関する識別子を、表示スクリーン上に表示されるべき出力信号内に埋め込む埋め込み手段を有する、請求項１に記載の装置。
【請求項３】
前記埋め込み手段が、前記出力信号の少なくとも一部を変調することによって、前記識別子を埋め込む、請求項２に記載の装置。
【請求項４】
前記変調が、前記出力信号の輝度を、前記識別子に依存して変調するステップを有する、請求項３に記載の装置。
【請求項５】
前記決定手段が、前記抽出した周波数成分から、前記外部の光源に関する識別子を得る、請求項１に記載の装置。
【請求項６】
他の光源に接続されており、前記他の光源によって発せられる光を、前記得られた識別子に依存して調整する調整手段を有する、請求項５に記載の装置。
【請求項７】
前記決定手段が、前記得られた周波数成分から、前記外部の光源の位置に関する情報を得る、請求項１に記載の装置。
【請求項８】
前記処理手段が、前記外部の光源の存在を検出することに応じて、通信要求を、無線で報知する、請求項１に記載の装置。
【発明の詳細な説明】
【技術分野】
【０００１】
本発明は、状況適応型の動作のために構成される装置に関する。
【背景技術】
【０００２】
近年、移動電話ネットワークに対する世界的な加入者の多大な増加が見られており、技術の進歩及び機能性の付加を経て、携帯電話機は、個人的な、信頼性のある装置となっている。この結果、より重要性を高めている個人化及び局所化されているサービスと共に、モバイル情報社会は、発展している。このような「状況適応」（Ｃｏｎｔｅｘｔ‐Ａｗａｒｅ：ＣＡ）型の移動電話機は、低電力で通信し、ショッピングモールのような場所における狭範囲ビーコンが、地域固有の情報を提供する。この情報は、地域地図、並びに近傍の店舗及びレストランに関する情報等を含み得る。ユーザのＣＡ装置は、受信した情報を、初期設定されたユーザの基本情報によってフィルタリングする機能を備えることができ、該ユーザは、特定の関心事のデータの項目が受信された場合にのみ、通知されるのでよい。
【０００３】
多くの応用例があり、該例において、典型的な情報要求は、その場所に高く依存し、該場所における多くの要求者に関して同一又は類似のものである傾向にある。例えば、レストランは、日替わりメニュを全ての通行人に知らせたいかもしれない。この場合、前記レストランのオーナは、ビーコンを設置し、これらの通行人に状況適応型サービスを提供することができる。次いで、レストランのロゴ、内部の写真、客が楽しんで体験できる様式を連想させる何かしらの音楽、及び「本日の特別メニュ」のような項目を有するメニュカード等のような情報が、前記ビーコンの付近における（結果的に前記レストランの付近における）受信装置に報知されることができる。ユーザは、この情報を通覧し、（本日の特別メニュの詳細のような）更に多くの情報を要求し、今晩の２人用のテーブルを予約することができる。
【０００４】
一般に、ユーザの状況適応型装置は、１つ又はそれ以上の他の装置との相対的な位置について通知される必要がある。このようにして、前記装置は、自身の動作を、該装置が案内される内容に適合するように調整することができる。このような状況適応型動作は多数ある。幾つかを、以下に挙げる。
‐  スクリーン「ドッキング」アプリケーション：ハンドヘルド装置が表示装置に接近すると幾つかの動作を開始する、あらゆるアプリケーションである。例えば、ユーザは、自分のハンドヘルド装置を前記表示装置の近くに保持することによって、前記アプリケーションの何かを要求する。前記ハンドヘルドと前記表示装置との間における内容の転送、及び／又はハンドヘルド装置のユーザインターフェースの部分を前記表示装置上に表示することが、現在、可能である。これ以上の情報に関しては、欧州特許出願第０１２０４９０５．２（整理番号ＰＨＮＬ０１０９４２）を参照されたい。
‐  スクリーン装置の場所の確定。モバイル装置は自身の場所を確定することができるが、スクリーン装置は自身の場所を確定することができない場合、これら２つの間が近接すると、アプリケーションは該モバイル装置の場所から該スクリーンの場所を推測することができる。
‐  モバイル装置の場所の確定。前記スクリーン装置の位置が既知である場合、モバイル装置が接近すると、該モバイル装置の場所が示される。
【発明の開示】
【発明が解決しようとする課題】
【０００５】
必要な場所及び／又は近接情報を得る幾つかの態様がある。種々のトラッキングシステムが存在し、これらの幾つかは、グローバル・ポジショニング・システムに基づくものであり、これによって装置の（絶対的な）場所が決定されることができる。ハンドヘルド装置及び表示装置の場所が与えられると、これらが相互に比較的に近いのかどうか決定するのは容易である。しかしながら、前記トラッキングシステムは、非常に高価であり、高価なインフラストラクチャを必要とするので、該システムは、低コストの民生用電子機器に対して受け入れがたいにものになっている。
【０００６】
代替的な方法は、位置決め情報をオーディオ又はビデオコンテンツに、透かし技術によって埋め込むことである。ハンドヘルド装置内の小型ビデオカメラ又はマイクロフォンは、透かしを入れられたコンテンツを捕捉し、埋め込まれた情報を抽出することができる。これは、例えば、国際特許出願公報第ＷＯ０３／００１７６３号（整理番号ＰＨＮＬ０１０４２１）に記載されている。この解決策は、高価な検出ハードウェア（カメラ又は感知マイクロフォン）、及び該検出装置における多数のアルゴリズム処理を必要とする。更に、送信装置がリアルタイムで透かし技術を行うことができる場合を除き、リアルタイム情報に関して非常に適切であるとは限らない。
【０００７】
本発明の目的は、冒頭に記載した装置であって、安価で信頼できる態様で状況を決定することができる装置を提供することにある。
【課題を解決するための手段】
【０００８】
前記目的は、本発明によって、外部の光源から発する入射光をレジスタする光センサと、レジスタされた入射光から、表示スクリーンに特有である特定の周波数成分を抽出するフィルタリング手段と、前記フィルタリング手段による特定の周波数成分が成功して抽出された際に、外部の表示スクリーンの存在を決定する決定手段と、前記決定手段の出力に依存し当該装置の動作を調整する処理手段とを有する装置において達成される。
【０００９】
表示装置のほとんど全てのタイプは可視光を発するので、光感知センサを、状況適応型装置内に設置することができ、該光感知センサはこれらの表示装置に反応する。このセンサは、ＬＤＲタイプのものであることができるが、可視光又は赤外線フォトダイオードでもあっても良い。前記センサ上への入射光を分析することにより、前記光源が、電球又は自然光源とは対照的に、実際の表示装置であるかどうかを決定することが可能である。前記光源が、確かに表示装置であると分かった場合、本発明による装置は、自身の動作をこれに応じて調整することができる。
【００１０】
この決定をする基準は、表示スクリーンに特有である特定の周波数成分の抽出によって形成される。これは、例えば、前記表示スクリーンの垂直リフレッシュレート（例えば、５０、６０、８５、９０又は１００Ｈｚ）、垂直リフレッシュレートの高調波又は水平リフレッシュレート等に対応する周波数成分であり得る。検出される入射光の振幅は、前記光源からの距離に反比例するので、前記特定周波数成分の抽出が成功して実行できたならば、該光源は比較的近いはずであるということになる。
【００１１】
実施例において、当該装置は、該装置に関する識別子を出力信号に埋め込み、表示スクリーン上に表示されるようにする埋め込み手段を有する。近傍の外部の表示スクリーンの検出に応じて、当該装置は、自身に関する情報を送信することができる。このようにして、状況適応型アプリケーションにおける他方の相手は、この特定の装置に合わせてアプリケーションを調整することができる。
【００１２】
好ましくは、上記埋め込み手段は、出力信号の少なくとも一部を変調することにより、例えば、出力信号の輝度を識別子に依存して変調することにより、前記識別子を埋め込む。（装置識別子を表す）特定のバイナリパターンによって、前記表示の輝度を高低間で切り替えることにより、該装置が自身の識別子を送信することができる。状況適応型アプリケーションにおける他方の相手は、前記輝度の変化を非常に簡単に捕捉することができるので、前記装置の識別子を得ることができる。
【００１３】
他の実施例においては、前記決定手段は、抽出された周波数成分から外部の光源に関する識別子を得る。多くの状況適応型アプリケーションにおいて、表示装置が存在すると知ることは十分ではない。この実施例は、当該装置が外部の表示装置の識別子を得ることを有利に可能にする。この識別子は、例えば、特定の周波数の取り決められている変化から得ることができる。
【００１４】
この実施例の変形において、当該装置は、他の光源に結合され、該他の光源から発せられる光を、得られた識別子に依存して調整する調整手段を有する。このようにして、当該装置は、前記入射光内に埋め込まれる情報に対する中継器として働くことができる。
【００１５】
同様に、前記決定手段は、抽出された周波数成分から、外部の光源の場所に関する情報を得るように構成されることができる。当然、特定の周波数成分の操作を使用して送信されることができる前記情報は、前記光源の識別子に限定されるわけではない。前記光源の場所を送信することも、有利であり得る。抽出の成功は、２つの装置が比較的に近接していると示すので、前記光源の位置は、本発明による装置の位置と同じであると見なされることできる。前記位置のこの決定は、多くの状況適応型アプリケーションに対して、十分に正確なものである。
【００１６】
更なる実施例において、前記処理手段は、前記外部の光源の存在の検出に応じて、通信要求を無線で報知する。ビーコンは、ここで、前記通信要求を捕捉し、状況適応型アプリケーションを開始することができる。このようにして、ビーコンは受動的であることができ、どのようなハンドヘルド装置が近隣にある場合にでも、該ビーコン自身の信号を、常に報知しなくて良い。更に、ハンドヘルド装置は、前記ビーコンによるこのような報知を全て聴く必要はなく、自身の存在を、常時、報知する必要もないので、今や、電力を節約する。成功した検出を単に待ち、次いで、単一の通信要求を報知することができ、これはビーコンによって捕捉されることができる。
【発明を実施するための最良の形態】
【００１７】
本発明のこれら及び他の見地は、添付図面に示した実施例を参照して、明らかにされ、解説されるであろう。
【００１８】
これらの図面を通して、同一の符号は、類似の又は対応するフィーチャを示す。
【００１９】
図面に示されているフィーチャの幾つかは、典型的には、ソフトウェアの態様で実施され、ソフトウェアモジュール又はオブジェクトのようなソフトウェアのエンティティを表している。
【００２０】
図１は、当該装置１００の第１実施例を模式的に示している。コンピュータシステム１１０は、自身の近傍における複数の装置に、状況適応型アプリケーションを提供する。幾つかのこのようなアプリケーションは、国際特許出願公報第ＷＯ０２／０７６０２４号（整理番号ＰＨＮＬ０１０１９４）において広範囲に渡って記載されている。簡潔さのために、これらをここで繰り返し述べることはしない。
【００２１】
コンピュータシステム１１０は、表示装置１１１に結合されている。この実施例において示されている表示装置１１１は、従来型ブラウン管（ＣＲＴ）ディスプレイを有するが、ＬＣＤスクリーン又は他のどのような表示スクリーンであっても同様に良い。表示装置１１１は、メッセージ、例えば状況適応型アプリケーションに関連付けられたアニメーション又は広告を、視覚的に示す。例えば、表示装置１１１は、状況適応型アプリケーションを提供している店舗のショップウィンドウ内に設置されることができる。
【００２２】
前記装置１００を携帯する通行人が、表示装置１１１の近傍に到来した場合、該装置１００内の光感知センサ１０１は、表示装置１１１から到来する可視光１２０を捕捉する。このセンサは、ＬＤＲタイプのものであることができるが、可視光又は赤外線フォトダイオードでも良い。当然、これは、装置１００と表示装置１１１との間の視野の視覚的ラインがあることを必要とする。従って、表示装置１１１は、通行人が状況適応型アプリケーションを使用することを促進するために、「あなたのハンドヘルド装置を対話型サービス用スクリーンに向けて持ってください」というようなメッセージを表示することができる。
【００２３】
レジスタされた入射光は、次いで、装置１００によって処理され、表示装置１１１の存在を検出する。表示装置１１１が検出された場合、装置１００は、次いで、自身の動作をこれに応じて調整する。これは、以下で明らかになるであろう。
【００２４】
図２は、装置１００をより詳細に示している。光センサ１０１は、フィルタバンク１０２に結合される。フィルタバンク１０２は、前記記憶された入射光から、表示スクリーンに関して特有である特定の周波数成分を抽出する。これは、例えば、表示スクリーンの垂直リフレッシュレート（例えば、５０、６０、８５、９０又は１００Ｈｚ）、垂直リフレッシュレートの高調波、又は水平リフレッシュレート等に対応する周波数成分であり得る。検出される入射光の振幅は、前記光源からの距離に反比例するので、特定周波数成分の抽出が成功して実行できるならば、該光源は比較的近いはずであるということになる。
【００２５】
決定モジュール１０３は、次いで、フィルタバンク１０２から、前記抽出した特定の周波数成分を受け取り、この抽出した特定の周波数成分に基づいて、外部の表示スクリーンの存在を決定する。この決定は、共通の垂直リフレッシュレートに対応する何かしらの成分が発見されたかどうか、又はこれらの高調波が発見されたかどうかを確認するぐらい、簡単であり得る。強調された決定は、複数のこのような基本的な決定を組み合わせることによってなされ得る。
【００２６】
プロセッサ１０４は、次いで、装置１００の動作を、決定モジュール１０３の出力に依存して、調整する。例えば、表示装置１１１が発見されたというメッセージが表示されることができる。この表示装置１１１が、例えば、表示スクリーン１０９上で現在プレイしている映画を表示するのに使用されることができる場合、ユーザは、表示装置１１１にプレイバックを「転送」するかどうかを選択することができる。これは、例えば、欧州特許出願第０１２０４９０５．２号（整理番号ＰＨＮＬ０１０９４２）に記載されている。
【００２７】
装置１００は、該装置に関する識別子を、表示スクリーン１０９上に表示されるべき出力信号内に埋め込む埋め込みモジュール１０５を有し得る。近傍の外部の表示スクリーンの検出に応じて、当該装置は、自身に関する識別情報を、コンピュータシステム１１０がこれを捕捉することができるように、送信することができる。
【００２８】
好ましくは、埋め込みモジュール１０５は、前記出力信号の少なくとも一部を変調することにより、例えば、前記出力信号の輝度を、前記識別子に依存して変調することにより、該識別子を埋め込む。前記表示の輝度を、（装置識別子を表す）特定のバイナリパターンによって、高低間で切り替えることにより、装置１００は、この識別子を送信することができる。代替的には、前記識別子は、赤外線伝送又は類似の手段を介して送信されることができる。
【００２９】
決定モジュール１０３は、表示装置１１１の存在を決定することに加えて、抽出された特定の周波数成分を処理し、表示装置１１１に関する識別子を得ることもできる。この識別子は、例えば、特定の周波数成分の取り決められた変化から得ることができる。
【００３０】
同様に、決定モジュール１０３は、前記抽出された周波数成分から、表示装置１１１（又はコンピュータシステム１１０、このようにして供給されるものに依存する）の位置に関する情報を得ることができる。プロセッサ１０５は、以下、表示装置１１１の位置が、前記装置１００の位置と同じであると見なすことができる。前記位置のこの決定は、多くの状況適応型アプリケーションに対して、十分に正確なものである。
【００３１】
プロセッサ１０４は、外部の光源の存在を検出することに応じて、例えば、Ｂｌｕｅｔｏｏｔｈ、ＩＥＥＥ８０２．１１／８０２．１１ａ若しくは８０２．１１ｂ、又は類似の無線通信規格を使用して、通信要求を無線で報知することもできる。コンピュータシステム１１０は、ここで前記通信要求を捕捉し、状況適応型アプリケーションを開始することができる。
【００３２】
図３は、装置１００の第２実施例を模式的に示しており、該装置１００は、制御ハードウェア３１０及び蛍光管３１１を有する光源に結合されている。当然、前記光源から発せられる光３１２が制御ハードウェア３１０によって調整可能な幾つかの特性を持っているのであれば、該光源は電球又は他の発光装置であっても良い。ＴＬチューブの場合、前記光の強度は、電力を短時間の間、遮断することによって変調されることができる。これにより、パルス位置変調によって、情報を光３１２内に符号化することができる。
【００３３】
この実施例において、表示装置１１１から到来する可視光１２０から得られる情報は、上述したように、ここで光３１２内に符号化される。このようにして、装置１００は、コンピュータシステム１１０によって発せられる情報に関する中継器として、動作する。図１の実施例の装置１００のような他の装置は、前記チューブ３１１からの可視光３１２を捕捉し、埋め込まれた情報を抽出することができる。
【００３４】
表示装置１１１から到来する可視光１２０から得られる情報は、前記情報が前記光３１２内に符号化されるように調整する基準として使用されることもできる。このようにして、本発明は、例えば、識別子を装置１００のような複数の装置に自動的に割り当てるのに使用されることができる、即ち第１装置が番号１を受け取り、これを自身の識別子として捕捉し、番号２を光３１２内に符号化する。第２装置は、この番号２を受け取り、これを自身の識別子として捕捉し、番号３を、これが発する前記光内に符号化する。この処理は、全ての装置が識別子を捕捉するまで、継続される。他の構成パラメータは、当然、同様にして同期されることができる。
【００３５】
上述の実施例は、本発明を限定するよりは解説するものであること、及び当業者であれば添付請求項の範囲から逸脱することなしに、多数の代替的な実施例を設計できることに留意されたい。例えば、上述した装置１００のフィーチャの多くは、装置１１０内に、まさに同様にして設けることが可能である。装置１００は、表示スクリーン１０９を必ず有さなければならないというわけではない。
【００３６】
前記請求項において、括弧内に置かれた如何なる符号も、請求項を限定するように見なしてはならない。「有する」という語は、請求項に記載されていない構成要素又はステップの存在を排除するものではない。単数形の構成要素は、複数のこのような構成要素を排除するものではない。
【００３７】
本発明は、幾つか別個の構成要素を有するハードウェアによって、及び適当にプログラムされたコンピュータによって実施化することができる。幾つかの手段を列挙している装置請求項において、これらの手段の幾つかは１つの同じハードウェアの項目によって、実施化することができる。特定の手段が、相互に異なる従属請求項において引用されているという単なる事実は、これらの手段の組み合わせが有利になるように使用されることができないと示すものではない。
【図面の簡単な説明】
【００３８】
【図１】図１は、当該装置の第１実施例を模式的に示している。
【図２】図２は、この実施例を、より詳細に、模式的に示している。
【図３】図３は、当該装置の第２実施例を模式的に示している。
【図１】
2005523667.tif 000003
【図２】
2005523667.tif 000004
【図３】
2005523667.tif 000005
【国際調査報告】
2005523667.tif 000006
2005523667.tif 000007
2005523667.tif 000008